(57)【要約】【課題】リモコンの電池の減りを抑制し、場所によっては電波を受信しにくい部分のある建造物中に設置される場合であっても常に正確な時刻を受信することが可能な空気調和機を得ること。【解決手段】ワイヤレスリモコンによって操作される室内機を有する空気調和機であって、室内機である空調機本体１に、標準時刻電波信号を受信して時刻情報を検出する標準時刻電波受信部７と、検出した時刻情報と単位時間あたりの積算電力とを関連付けて時刻ごとの積算電力を計測する積算電力計測部３と、計測した積算電力を単位時間ごとに時刻と関連付けて記憶する積算電力記憶部６と、時刻情報に基づいて現在の単位時間あたりの積算電力と過去の単位時間あたりの積算電力とを比較して比較結果を出力する積算電力比較部５と、比較結果を表示する表示部８と、を備える。【選択図】図１
2015148346.tif 000002
【特許請求の範囲】
【請求項１】
ワイヤレスリモコンによって操作される室内機を有する空気調和機であって、
前記室内機に、
標準時刻電波信号を受信して時刻情報を検出する標準時刻電波受信部と、
検出した前記時刻情報と単位時間あたりの積算電力と、を関連付けて時刻ごとの積算電力を計測する積算電力計測部と、
計測した前記積算電力を単位時間ごとに時刻と関連付けて記憶する積算電力記憶部と、
前記時刻情報に基づいて現在の単位時間あたりの積算電力と過去の単位時間あたりの積算電力とを比較して比較結果を出力する積算電力比較部と、
前記比較結果を表示する表示部と、を備えることを特徴とする空気調和機。
【請求項２】
前記積算電力記憶部は、
前記積算電力のデータに付された時刻に基づいて前記積算電力のデータを時刻が新しい順に第１から第４の積算電力データ群に区分けし、
時刻が最も新しい第１の積算電力データ群にはデータ加工を行うことなく最も短い単位時間で保存した状態を維持し、
第２の積算電力データ群には、単位時間が第１の積算電力データ群よりも長い単位時間のデータとなるようにデータ加工を行い、
第３の積算電力データ群には、単位時間が第２の積算電力データ群よりも長い単位時間のデータとなるようにデータ加工を行い、
第４の積算電力データ群のデータは消去することを特徴とする請求項１に記載の空気調和機。
【請求項３】
前記積算電力記憶部は、
前記積算電力のデータに付された時刻に基づいて前記積算電力のデータを時刻が新しい順に第１から第ｎ（ｎは自然数）の積算電力データ群に区分けし、
時刻が最も新しい第１の積算電力データ群にはデータ加工を行うことなく最も短い単位時間で保存した状態を維持し、
第２から第ｎ−１の積算電力データ群には、単位時間が第１の積算電力データ群よりも長く、且つ第ｋ＋１（ｋは自然数、ｋ＜ｎ）の積算電力データ群では第ｋの積算電力データ群よりも長い単位時間のデータとなるようにデータ加工を行い、
第ｎの積算電力データ群のデータは消去することを特徴とする請求項１に記載の空気調和機。
【発明の詳細な説明】
【技術分野】
【０００１】
本発明は、空気調和機に関する。
【背景技術】
【０００２】
従来、空気調和機（空調機）は、水晶発振子を用いて時刻情報を得ており、使用電力等の表示に関してはその時刻情報をリモコン側に送信し、リモコンの表示部に表示している。しかしながら、従来の空気調和機の多くで用いられている水晶発振子では、計時精度の問題から１年間隔（またはそれ以上）での積算電力の比較は困難である。そこで、時刻情報を標準時刻電波信号から検出することが考えられる。標準時刻電波信号が受信可能であれば常に正確な計時情報を得ることができる。
【０００３】
例えば特許文献１には、「時間帯毎に異なる単位電力料金等の情報を確実にユーザに知らしめるリモコン等を提供」することを目的として、「入力部１１と、時計部１２と、単位電力料金情報を記憶するメモリ１６と、ＬＥＤ１５と、を含むリモコン１では、制御部１８が、エアコン２が動作指示に従う従属時刻（例えば、起動時刻）を含む時間帯に合致する単位電力料金を認識し、その認識される単位電力料金に割り当てられた対応色で、ＬＥＤ１５を発光」させる技術が開示されており、時計部１２が電波時計でもよい旨が記載されている。
【先行技術文献】
【特許文献】
【０００４】
【特許文献１】特開２００９−１６８３００号公報
【発明の概要】
【発明が解決しようとする課題】
【０００５】
しかしながら、上記従来の技術によれば、電波時計でもよい時計部１２及び「表示パネル１４」はリモコンに設けられており、電力料金の認識等もリモコンにて行っている。そのため、リモコンの電池の減りが早い。また、リモコンは可搬性であるため、場所によっては電波を受信しにくい部分のある建造物中に設置される場合には、電波時計が標準時刻電波信号を受信できない場合がある、という問題があった。
【０００６】
本発明は、上記に鑑みてなされたものであって、リモコンの電池の減りを抑制し、場所によっては電波を受信しにくい部分のある建造物中に設置される場合であっても常に正確な時刻を受信することが可能な空気調和機を得ることを目的とする。
【課題を解決するための手段】
【０００７】
上述した課題を解決し、目的を達成するために、本発明は、ワイヤレスリモコンによって操作される室内機を有する空気調和機であって、前記室内機に、標準時刻電波信号を受信して時刻情報を検出する標準時刻電波受信部と、検出した前記時刻情報と単位時間あたりの積算電力と、を関連付けて時刻ごとの積算電力を計測する積算電力計測部と、計測した前記積算電力を単位時間ごとに時刻と関連付けて記憶する積算電力記憶部と、前記時刻情報に基づいて現在の単位時間あたりの積算電力と過去の単位時間あたりの積算電力とを比較して比較結果を出力する積算電力比較部と、前記比較結果を表示する表示部と、を備えることを特徴とする。
【発明の効果】
【０００８】
本発明によれば、リモコンの電池の減りを抑制し、場所によっては電波を受信しにくい部分のある建造物中に設置される場合であっても常に正確な時刻を受信することが可能な空気調和機を得ることができる、という効果を奏する。
【図面の簡単な説明】
【０００９】
【図１】図１は、実施の形態１にかかる空調機本体の構成を示すブロック図である。
【図２】図２は、実施の形態１にかかる空気調和機の構成に含まれる積算電力記憶部に記憶されるデータ形式の例を説明する図である。
【図３】図３は、実施の形態１にかかる空気調和機の構成における積算電力を表示する動作を示すフローチャートである。
【図４】図４は、実施の形態２にかかる空調機本体の積算電力記憶部における保存形式の変更手順を示すフローチャートである。
【図５】図５は、実施の形態２にかかる空調機本体の積算電力記憶部における変更された保存形式の例を示す図である。
【発明を実施するための形態】
【００１０】
以下に、本発明にかかる空気調和機の実施の形態を図面に基づいて詳細に説明する。なお、この実施の形態によりこの発明が限定されるものではない。
【００１１】
実施の形態１．
本実施の形態では、本発明にかかる空気調和機の一例について説明する。本実施の形態にかかる空気調和機は、標準時刻電波信号を受信可能な装置を本体側に設けることによって常に正確な計時情報を得ることができ、積算電力の比較結果の表示装置を空調機本体側にもつことによってワイヤレスリモコン側に比較結果を送信する必要をなくし、データ送信手段を不要にすることができる空気調和機である。
【００１２】
本実施の形態では、本体が標準時刻電波信号の受信装置（標準時刻電波受信部）と、受信した正確な時刻情報と日ごとに積算した積算電力とを用いて積算電力を計測する積算電力計測装置（積算電力計測部）と、現在の積算電力と過去の積算電力の比較を行う積算電力比較装置（積算電力比較部）と、比較結果を表示する表示装置（表示部）と、を備える空気調和機について説明する。
【００１３】
図１は、本発明にかかる空調機本体の実施の形態１の構成を示すブロック図である。図１に示す空調機本体１は、空調機制御マイコン２と、積算電力記憶部６と、標準時刻電波受信部７と、表示部８と、を備える。空調機制御マイコン２は、積算電力計測部３と、空調機制御部４と、積算電力比較部５と、を備える。
【００１４】
積算電力計測部３は積算電力を計測し、不揮発性メモリを含む積算電力記憶部６に計測結果を記憶する。空調機制御部４は、空調機本体１の動作を制御する。積算電力比較部５は、積算電力記憶部６に記憶された計測結果を参照して、積算電力を比較し、比較結果を表示部８に出力する。積算電力記憶部６は、標準時刻電波受信部７から入力された標準時刻及び積算電力計測部３から入力された計測結果を記憶する。
【００１５】
図２は、本発明にかかる空気調和機の実施の形態１の構成に含まれる積算電力記憶部に記憶されるデータ形式の例を説明する図である。
【００１６】
標準時刻電波受信部７は、外部電波により標準時刻を受信しており、この標準時刻は積算電力記憶部６に出力する。表示部８は結果表示部９を含み、結果表示部９は積算電力比較部５の比較結果を表示する。
【００１７】
次に、図１に示す空気調和機の空調機制御マイコン２において、図２の積算電力記憶部６のメモリ内容と、図３のフローチャートを用いて、積算電力の比較と比較結果表示の手順について説明する。
【００１８】
図３は、本発明にかかる空気調和機の実施の形態１の構成における積算電力を表示する動作を示すフローチャートである。まず、処理をスタートし（ステップＳ１１）、標準時刻電波受信部７が外部電波から現在の年月時刻データを受信し（ステップＳ１２）、現在の年月時刻時点における積算電力を計測する（ステップＳ１３）。次に、現在の年月時刻が積算電力メモリタイミングであるか否かを判定する（ステップＳ１４）。
【００１９】
ここで、積算電力メモリタイミングとは、１日分の積算電力の取得が完了したタイミングをいう。例えば、ステップＳ１２で受信した現在の年月時刻データが２０１３年８月１２日２１時００分であるとすると、２０１３年８月１２日０時００分から２０１３年８月１２日２１時００分までの積算電力が取得される。
【００２０】
現在の年月時刻が積算電力メモリタイミングでない場合（ステップＳ１４でＮｏに分岐する場合）には、１日分の積算電力の取得が完了していないので、ステップＳ１２に戻り、標準時刻電波受信部７が外部電波から現在の年月時刻データを受信する。
【００２１】
上記ステップＳ１４の判定を何度も繰り返した後に現在の年月時刻が積算電力メモリタイミングになると（ステップＳ１４でＹｅｓに分岐する場合）、１日分の積算電力の取得が完了したと判定され、ステップＳ１５に移行する。
【００２２】
そして、年月時刻データと１日分の積算電力を積算電力記憶部６に保存する（ステップＳ１５）。例えば、上記ステップＳ１３で得られた２０１３年８月１２日０時００分から２０１３年８月１２日２３時５９分の積算電力が４．１６９９ｋＷｈの場合には、年月時刻データである「２０１３年８月１２日」とこの日の１日分の積算電力である４．１６９９ｋＷｈが積算電力記憶部６に保存される。
【００２３】
次に、前年比較表示要求の有無の判定を行う（ステップＳ１６）。ここで、前年比較表示要求の有無は、リモコンから前年比較表示要求の信号が送信されたか否かにより判定する。すなわち、ユーザがリモコン操作によって前年比較表示を要求した場合には前年比較表示要求があり、要求していない場合には前年比較表示要求がない、ということである。前年比較表示要求がない場合（ステップＳ１６でＮｏに分岐する場合）には、新たに本日（ここでは８月１３日）の積算電力の計測を開始するため、ステップＳ１２に戻る。前年比較表示要求がある場合（ステップＳ１６でＹｅｓに分岐する場合）には、ステップＳ１７へ移行し、比較表示要求の期間を判定する（ステップＳ１７）。なお、ここでは、比較表示要求の期間として、７日分、１５日分、３０日分が列挙されている。比較表示要求の期間は、リモコンから送信されたものである。すなわち、ユーザがリモコン操作によって７日分、１５日分、３０日分のいずれかを選択し、この選択に従って比較表示要求の期間が判定される、ということである。なお、選択された比較表示要求の期間は変数「ｌａｂｅｌ１」に格納される。
【００２４】
次に、比較表示要求の期間に応じて積算電力比較部５が、今年と昨年の積算電力の差分を算出する。比較表示要求の期間が７日分である場合（ｌａｂｅｌ１＝７日）には、７日分の電力差分を算出する（ステップＳ１８）。比較表示要求の期間が１５日分である場合（ｌａｂｅｌ１＝１５日）には、１５日分の電力差分を算出する（ステップＳ１９）。比較表示要求の期間が３０日分である場合（ｌａｂｅｌ１＝３０日）には、３０日分の電力差分を算出する（ステップＳ２０）。
【００２５】
そして、算出結果は、結果表示部９に送信され、結果表示部９が算出結果を表示する（ステップＳ２１）。例えば、ステップＳ１７において１５日分と判定された場合には、２０１３年８月１２日から遡って１５日分の積算電力と２０１２年８月１２日から遡って１５日分）の積算電力から、両者の差分を算出する。なお、ここで、比較対象となるデータは昨年分のデータに限定されるものではなく、一昨年分のものであってもよいし、それ以上前のデータとの比較が可能な構成であってもよい。以上で処理を終了する（ステップＳ２２）。
【００２６】
本実施の形態にて説明したように、標準時刻を電波により受信し、正確な年月時刻データと１日分の積算電力のデータを関連付けて積算電力記憶部６に保存するため、所定の日数分の積算電力を算出することができる。
【００２７】
また、時刻の受信、積算電力の比較及び算出結果の表示を行う構成が一体となって空調機本体１である室内機で完結する。そのため、結果表示部９をリモコン側に備える場合と比較すると、リモコン側とのデータのやり取りが不要になるのでリモコンの電池の減りを抑制することができる。
【００２８】
また、標準時刻電波受信部７を室内機側に設けることで、場所によっては電波を受信しにくい部分のある建造物中に設置される場合であっても、室内機の設置時に電波を受信しにくい部分を避けて設置することで、常に正確な時刻を受信することが可能である。
【００２９】
以上説明したように、本実施の形態によれば、リモコンの電池の減りを抑制し、場所によっては電波を受信しにくい部分のある建造物中に設置される場合であっても常に正確な時刻を受信することが可能な空気調和機を得ることができる、という効果を奏する。
【００３０】
実施の形態２．
実施の形態１では、今年と昨年の積算電力データを１日ごとに積算電力記憶部６に保存する形態について説明したが、本実施の形態では、積算電力記憶部６のメモリ容量が小さい場合において、積算電力データの保存形式を保存効率の高いものとすることによって積算電力記憶部６の容量が小さい場合であっても、対応可能であるデータの保存形式について説明する。すなわち、本実施の形態にかかる空気調和機は、積算電力データの保存効率の高い保存形式を採用することによって容量の小さいメモリに対応できる空気調和機である。
【００３１】
図４は、本実施の形態にかかる空調機本体１の積算電力記憶部６における保存形式の変更手順を示すフローチャートである。
【００３２】
まず、処理をスタートし（ステップＳ３１）、積算電力記憶部６内の積算電力データとともに保存された年月時刻データを確認する（ステップＳ３２）。次に、そのデータの年を判定する（ステップＳ３３）。なお、判定されたそのデータの年は変数「ｌａｂｅｌ２」に格納される。
【００３３】
格納されたそのデータの年が今年（ここでは２０１３年）または昨年（ここでは２０１２年）である場合（ｌａｂｅｌ２＝０年前または１年前）には、保存形式の変更（データの加工）を行わない。
【００３４】
格納されたそのデータの年が「２年前」（すなわち、一昨年であり、この例では２０１１年）である場合（ｌａｂｅｌ２＝２年前）には、１ヶ月ごとの積算電力の和を算出し（ステップＳ３４）、算出結果を積算電力記憶部６に保存する（ステップＳ３５）。次に、算出に用いたデータ、すなわち、２年前の１ヶ月分の１日毎の積算電力を消去する（ステップＳ３６）。
【００３５】
格納されたそのデータの年が「３年前」（この例では２０１０年）である場合（ｌａｂｅｌ２＝３年前）には、１年ごとの積算電力の和を算出し（ステップＳ３７）、算出結果を積算電力記憶部６に保存する（ステップＳ３８）。次に、算出に用いたデータ、すなわち、「３年前」の「１年分」の１ヶ月毎の積算電力を消去する（ステップＳ３９）。
【００３６】
格納されたそのデータの年が「４年前」（この例では２００９年）である場合（ｌａｂｅｌ２＝４年前）には、データを消去する（ステップＳ４０）。
【００３７】
データ消去後、処理を終了する（ステップＳ４１）。このようにして、古いデータから順次消去することで比較表示が可能な期間は少なくなるが、積算電力記憶部６の記憶容量を効率よく使用することができる。
【００３８】
すなわち、上記説明した本実施の形態の空気調和機は、積算電力記憶部６が、積算電力のデータに付された時刻に基づいて積算電力のデータを時刻が新しい順に第１から第４の積算電力データ群に区分けし、時刻が最も新しい第１の積算電力データ群にはデータ加工を行うことなく最も短い単位時間で保存した状態を維持し、第２の積算電力データ群には、単位時間が第１の積算電力データ群よりも長い単位時間のデータとなるようにデータ加工を行い、第３の積算電力データ群には、単位時間が第２の積算電力データ群よりも長い単位時間のデータとなるようにデータ加工を行い、第４の積算電力データ群のデータは消去することを特徴とする。
【００３９】
また、上記構成を上位概念化した積算電力記憶部６が、積算電力のデータに付された時刻に基づいて積算電力のデータを時刻が新しい順に第１から第ｎ（ｎは自然数）の積算電力データ群に区分けし、時刻が最も新しい第１の積算電力データ群にはデータ加工を行うことなく最も短い単位時間で保存した状態を維持し、第２から第ｎ−１の積算電力データ群には、単位時間が第１の積算電力データ群よりも長く、且つ第ｋ＋１（ｋは自然数、ｋ＜ｎ）の積算電力データ群では第ｋの積算電力データ群よりも長い単位時間のデータとなるようにデータ加工を行い、第ｎの積算電力データ群のデータは消去することを特徴とする空気調和機も本発明に含まれる。
【００４０】
図５は、本実施の形態にかかる空調機本体１の積算電力記憶部６における変更された保存形式の例を示す図である。このように保存形式の変更を行うと、図５に示すように２年前のデータは月単位で、３年前のデータは年単位で保存されることになる。
【００４１】
本実施の形態にて説明したように、積算電力記憶部６の容量が小さい場合には、古いデータの保存形式を変更することで、効率の良いデータ保存が可能になり、積算電力記憶部６のメモリ容量が小さくても本発明を実現することができる。
【００４２】
なお、実施の形態１及び本実施の形態の説明における単位時間はすべて一例であり、本発明の単位時間はこれらに限定されるものではない。
【産業上の利用可能性】
【００４３】
以上のように、本発明にかかる空気調和機は、積算電力を表示する空気調和機に有用である。
【符号の説明】
【００４４】
１  空調機本体、２  空調機制御マイコン、３  積算電力計測部、４  空調機制御部、５  積算電力比較部、６  積算電力記憶部、７  標準時刻電波受信部、８  表示部、９  結果表示部、Ｓ１１〜Ｓ２２，Ｓ３１〜Ｓ４１  ステップ。
【図１】
2015148346.tif 000003
【図２】
2015148346.tif 000004
【図３】
2015148346.tif 000005
【図４】
2015148346.tif 000006
【図５】
2015148346.tif 000007